(57)【要約】【課題】  被締結部材の座面を座掘して締結部材の横滑りを防止し、確実性の高い締結状態を保持することができる座掘機能付ロックボルトを提供する。【解決手段】  ボルトの軸線方向に沿って貫通孔２３が形成されているとともに、この貫通孔２３に連通して貫通孔２３より大径の収容凹部２４をボルトヘッド２１内に有するボルト本体２と、貫通孔２３内に挿通される挿通軸３１を有するとともに、この挿通軸３１の先端に座掘刃３２を備え、かつ、挿通軸３１の後端に収容凹部２４内に収容されるリセス付ヘッド３３を備えた座掘部材３と、収容凹部２４内に収容されるとともに、座掘刃３２を貫通孔２３の先端から突出させる方向にリセス付ヘッド３３を押圧する弾性部材４とを有する。【選択図】  図２
2011196472.tif 000002
【特許請求の範囲】
【請求項１】
ボルトの軸線方向に沿って貫通孔が形成されているとともに、この貫通孔に連通して前記貫通孔より大径の収容凹部をボルトヘッド内に有するボルト本体と、
前記貫通孔内に挿通される挿通軸を有するとともに、この挿通軸の先端に座掘刃を備え、かつ、前記挿通軸の後端に前記収容凹部内に収容されるリセス付ヘッドを備えた座掘部材と、
前記収容凹部内に収容されるとともに、前記座掘刃を前記貫通孔の先端から突出させる方向に前記リセス付ヘッドを押圧する弾性部材と
を有する座掘機能付ロックボルト。
【発明の詳細な説明】
【技術分野】
【０００１】
本発明は、被締結部材に対する横滑りを防止する座掘機能付ロックボルトに関するものである。
【背景技術】
【０００２】
従来、特開平９−７２３２５号公報の図５に示すように、断面略Ｌ字形状の被締結部材に略コの字形状の吊り金具（締結部材）をボルトで締結する締結構造が知られている（特許文献１）。また、この特許文献１の図４（Ｂ）には、ボルトの先端部に、略皿形状の弾性材からなる座金を備えた座金付ナットを螺合し、被締結部材との間に挟み込む構成が開示されている。
【先行技術文献】
【特許文献】
【０００３】
【特許文献１】特開平９−７２３２５号公報
【発明の概要】
【発明が解決しようとする課題】
【０００４】
しかしながら、特許文献１に記載された発明を含め、従来、吊り金具等の締結部材を締結するボルトは、被締結部材を上下方向から締め付けて固定するようになっている。このため、強固な締結状態を保持するには、締付トルクの管理が重要であるが、トルクレンチ等を用いて締付トルクを測定しなければならず、締結作業に手間がかかってしまう。
【０００５】
また、締付トルクの管理が不十分な場合、ボルトを締め付けすぎると、吊り金具の略コの字状の開口部が無理に拡開されて変形し、強度が低下してしまう。一方、ボルトの締付トルクが不足していた場合や、ボルトが緩んでしまった場合には、締結状態が不安定で不確実となり、十分な締結力が得られない。したがって、締結部材に横方向の力が加わった場合、被締結部材の座面上を横滑りして外れてしまうという問題がある。
【０００６】
さらに、従来品は適正な締付トルクで締め付けたとしても、被締結部材の座面が傾斜している場合や略コの字状の開口部を上向きにして取り付けた場合には、ボルトが緩み易く許容静荷重が小さくなるため、締結部材が脱落してしまうおそれがある。
【０００７】
本発明は、このような問題点を解決するためになされたものであって、被締結部材の座面を座掘して締結部材の横滑りを防止し、確実性の高い締結状態を保持することができる座掘機能付ロックボルトを提供することを目的としている。
【課題を解決するための手段】
【０００８】
本発明に係る座掘機能付ロックボルトは、ボルトの軸線方向に沿って貫通孔が形成されているとともに、この貫通孔に連通して前記貫通孔より大径の収容凹部をボルトヘッド内に有するボルト本体と、前記貫通孔内に挿通される挿通軸を有するとともに、この挿通軸の先端に座掘刃を備え、かつ、前記挿通軸の後端に前記収容凹部内に収容されるリセス付ヘッドを備えた座掘部材と、前記収容凹部内に収容されるとともに、前記座掘刃を前記貫通孔の先端から突出させる方向に前記リセス付ヘッドを押圧する弾性部材とを有する。
【発明の効果】
【０００９】
本発明によれば、被締結部材の座面を座掘して横滑りを防止し、確実性の高い締結状態を保持することができる。
【図面の簡単な説明】
【００１０】
【図１】本発明に係る座掘機能付ロックボルトの実施形態を示す斜視図である。
【図２】図１の正面中央一部縦断面図である。
【図３】図１の平面図である。
【図４】本実施形態において、（ａ）座掘機能付ロックボルトを締め付けた状態、および（ｂ）座掘機能付ロックボルトで座掘した状態を示す一部断面図である。
【発明を実施するための形態】
【００１１】
以下、本発明に係る座掘機能付ロックボルトの実施形態について図面を用いて説明する。
【００１２】
本実施形態の座掘機能付ロックボルト１は、図１および図２に示すように、主として、締結部材１１に螺合するボルト本体２と、このボルト本体２に内蔵されており被締結部材１２を座掘する座掘部材３と、この座掘部材３を付勢する弾性部材４とを有している。以下、各構成部について詳細に説明する。
【００１３】
ボルト本体２は、被締結部材１２に締結部材１１を締結するためのものである。本実施形態において、ボルト本体２は、六角形状のボルトヘッド２１と、雄ネジ部２２とを有している。雄ネジ部２２の内部には、図２に示すように、ボルトの軸線方向に沿って貫通孔２３が形成されている。また、ボルトヘッド２１の内部には、貫通孔２３に連通されているとともに、貫通孔２３より大径の収容凹部２４が、ボルトの軸線方向に沿って形成されている。
【００１４】
なお、本実施形態では、ボルトヘッド２１を六角形状に形成しているが、この形状に限定されるものではない。すなわち、レンチ等の締付工具や特殊形状の特殊工具で把持可能な形状であれば、六角形以外の多角形状や円形状であってもよい。
【００１５】
座掘部材３は、被締結部材１２の座面を座掘するためのものである。本実施形態において、座掘部材３は、高硬度の鋼材等によって構成されており、図２に示すように、ボルト本体２の貫通孔２３内に挿通される挿通軸３１と、この挿通軸３１の先端に設けられた座掘刃３２と、挿通軸３１の後端に設けられたリセス付ヘッド３３とを有している。
【００１６】
本実施形態において、リセス付ヘッド３３は、図２に示すように、ボルト本体２の貫通孔２３よりも大径であって、かつ、収容凹部２４に収容可能なフランジ部３４を有している。また、図３に示すように、リセス付ヘッド３３の上面には、略十字形状のリセス３５が形成されている。一方、挿通軸３１は、図２に示すように、リセス付ヘッド３３のフランジ部３４を収容凹部２４の底部に当接させたとき、座掘刃３２が貫通孔２３の先端から突出する長さを有している。
【００１７】
なお、本実施形態では、リセス３５をプラス溝形状に形成しているが、この形状に限定されるものではない。すなわち、ドライバ等の工具で係合可能であれば、マイナス溝や六角穴等のようなリセス３５であってもよい。
【００１８】
弾性部材４は、座掘部材３に突出方向の押圧力を付与するためのものである。本実施形態において、弾性部材４は、図２に示すように、圧縮コイルばねによって構成されている。また、弾性部材４は、収容凹部２４内に押し込んだ後、収容凹部２４の開口された内周縁部をかしめてかしめ部２５を形成することにより、圧縮状態で収容されている。これにより、弾性部材４は、常に、リセス付ヘッド３３のフランジ部３４を突出方向へ押圧するようになっている。
【００１９】
なお、本実施形態では、弾性部材４として、圧縮コイルばねを用いているが、この構成に限定されるものではなく、適宜変更することができる。すなわち、リセス付ヘッド３３のリセス３５に係合する工具を挿入できるような中空状に形成されており、座掘刃３２を貫通孔２３の先端から突出させる方向の押圧力を付与するものであれば、円筒状のゴム等であってもよい。
【００２０】
つぎに、以上の構成を備えた本実施形態の座掘機能付ロックボルト１による作用について、図面を用いて説明する。
【００２１】
本実施形態では、図４（ａ）に示すように、本実施形態の座掘機能付ロックボルト１を用いて、断面略Ｌ字形状の被締結部材１２に対して、略コの字形状の締結部材１１（吊り金具）を締結する場合について説明する。
【００２２】
まず、図４（ａ）に示すように、締結部材１１の上部に座掘機能付ロックボルト１を螺合させた後、ボルトヘッド２１をレンチ等で締め付ける。このとき、座掘部材３は、被締結部材１２の座面に当接して反作用を受けるため、弾性部材４の弾性力に対抗して貫通孔２３内に引き込む。このため、締め付け作業時に、座掘刃３２が被締結部材１２を掘削することがなく、適正な締付トルクで締め付け可能となる。
【００２３】
また、ボルト本体２の先端面が、図４（ａ）に示すように、締結部材１１の下部との間で、被締結部材１２を強固に挟み込む。これにより、締結部材１１と被締結部材１２との締結状態が安定するとともに、上下方向の耐荷重性が向上する。
【００２４】
つづいて、図４（ｂ）に示すように、収容凹部２４の開口からドライバ等を挿入し、リセス付ヘッド３３のリセス３５に係合する。そして、当該ドライバを下方向へ押し込みながら回転し、座掘部材３を回転させる。これにより、座掘刃３２が、被締結部材１２の座面を掘削し、座掘穴１３を穿孔する。また、弾性部材４が、リセス付ヘッド３３のフランジ部３４を突出方向に押圧し、座掘部材３の先端を座掘穴１３に押し込む。
【００２５】
したがって、ドライバ等を引き抜いた後も、座掘部材３は座掘穴１３に押し込まれて係止した状態を保持する。このため、締結部材１１に横方向の力が加わっても、座掘部材３が座掘穴１３に係止して横滑りを抑制する。また、仮に、締付トルクが不十分であったり、ボルト本体２の締め付けが多少緩んでしまっても、座掘部材３が座掘穴１３に係止している限り、締結状態を維持する。
【００２６】
以上のような本実施形態によれば、以下のような効果を奏する。
１．被締結部材１２に座掘穴１３を穿孔して係止し、被締結部材１２に対する締結部材１１の横滑りを防止することができる。
２．被締結部材１２と座掘部材３との係止状態を保持して、確実性の高い締結状態を保持することができる。
３．座掘部材３を弾性部材４で付勢しているため、ボルト本体２の締め付けの際には、座掘部材３が貫通孔２３内に退避し、締付トルクの増大を抑制することができる。
４．厳密な締付トルクの管理が不要であり、手で締め付けた程度であっても、締結部材１１の脱落を防止することができる。
５．ボルト本体２とは別に座掘部材３により強く締め付けられるため、略コの字状の開口部を有する締結部材１１を使用する場合等、締め付け過ぎによる開口部の拡開変形を防止することができる。
６．被締結部材１２の座面が傾斜している場合や、開口部を上向きにして取り付けた場合であっても、締結部材１１の脱落を防止することができる。
【００２７】
なお、本発明に係る座掘機能付ロックボルト１は、上述した実施形態に限定されるものではなく、適宜変更することができる。
【００２８】
例えば、上述した本実施形態では、断面略Ｌ字形状の被締結部材１２に、略コの字形状の締結部材１１（吊り金具）を締結する場合について説明したが、この構成に限定されるものではない。すなわち、ボルトで締結するものであって横滑りの可能性がある全ての締結構造について適用することができる。
【００２９】
また、上述した本実施形態では、弾性部材４によって座掘部材３を付勢しているが、弾性部材４を使用しない構成も考えられる。例えば、収容凹部２４の内周面に雌ネジ部を形成するとともに、この雌ネジ部に螺合するストッパ用ボルトを用意する。そして、座掘部材３で座掘した後、ストッパ用ボルトを雌ネジ部に螺合させて、その先端部を座掘部材３のリセス付ヘッド３３に当接させる。この構成によっても、座掘部材３が座掘穴１３に係止した状態で保持される。
【符号の説明】
【００３０】
１  座掘機能付ロックボルト
２  ボルト本体
３  座掘部材
４  弾性部材
１１  締結部材
１２  被締結部材
１３  座掘穴
２１  ボルトヘッド
２２  雄ネジ部
２３  貫通孔
２４  収容凹部
２５  かしめ部
３１  挿通軸
３２  座掘刃
３３  リセス付ヘッド
３４  フランジ部
３５  リセス
【図１】
2011196472.tif 000003
【図２】
2011196472.tif 000004
【図３】
2011196472.tif 000005
【図４】
2011196472.tif 000006